(57)【要約】【課題】所定の管理範囲に属する印刷装置を利用して印刷または複写される印刷文書に、時系列に印刷順番を識別する通し番号を付加することによって印刷文書の内容を保証可能な印刷システム及び印刷方法を提供する。【解決手段】印刷システム１０の制御装置１６に通し番号管理部２１を備え、ＰＣ１３に通し番号取得部２２ｂ及び通し番号付加印刷データ生成部２３ｂを備え、プリンタ１４に通し番号取得部２２ｃ及び通し番号付加印刷データ生成部２３ｃを備えることによって、プリンタ１４及びプリンタ１５を利用して印刷または複写される印刷文書に、時系列に印刷順番を識別する通し番号が付加され、印刷文書の内容を保障することができる。即ち、印刷文書の内容の改ざんを防止することができる。【選択図】図２
2007317051.tif 000002
【特許請求の範囲】
【請求項１】
ネットワークを介して通信可能な、印刷要求及び複写要求の少なくとも一方の要求を実
行可能な１個または複数個の印刷要求装置と、印刷要求または複写要求に基づいて印刷を
実行可能な１個または複数個の印刷装置とを有した印刷システムであって、
所定の１個または複数個の前記印刷装置を管理印刷装置群とし、
前記管理印刷装置群に属する前記印刷装置を管理印刷装置とし、
全ての前記管理印刷装置によって印刷された全ての印刷文書を時系列に識別するための
情報を通し番号とし、
印刷要求または複写要求の対象となる印刷文書を対象印刷文書とし、
前記対象印刷文書を印刷するための印刷データを対象印刷データとし、
前記対象印刷文書に前記通し番号が付加された印刷文書を通し番号付加印刷文書とし、
前記通し番号付加印刷文書を印刷するための印刷データを通し番号付加印刷データとし
たとき、
印刷要求対象の前記対象印刷文書に付加する前記通し番号の発行を要求されたときに、
前記通し番号を生成し、前記通し番号の発行要求元へ生成した前記通し番号を渡すととも
に、生成した前記通し番号と前記対象印刷データとを対応付けて所定の記憶部に格納して
管理し、
複写要求対象の前記対象印刷文書に付加する前記通し番号の発行を要求されたときに、
複写のための前記対象印刷データ及び当該対象印刷データに対応付けられる前記通し番号
を、前記記憶部より検索し、検索した前記通し番号に基づいて新たな前記通し番号を生成
し、前記通し番号の発行要求元へ生成した前記通し番号及び検索した前記対象印刷データ
を渡すとともに、前記対象印刷データとに対応付けて、生成した前記通し番号を所定の記
憶部に格納して管理する通し番号管理手段を備え、
前記管理印刷装置は、前記通し番号管理手段によって生成された前記通し番号と前記対
象印刷データとによって生成された前記通し番号付加印刷データに基づいて、前記通し番
号付加印刷文書を印刷または複写することを特徴とする印刷システム。
【請求項２】
前記対象印刷文書の印刷または複写を要求する前記印刷要求装置を対象印刷要求装置と
し、
前記対象印刷要求装置からの印刷要求または複写要求によって、印刷を実行する前記管
理印刷装置を対象管理印刷装置としたとき、
前記対象印刷要求装置または前記対象管理印刷装置のどちらか一方の装置は、
印刷要求のときに、前記対象印刷データとともに前記通し番号管理手段へ前記通し番号
の発行を要求することにより、前記通し番号管理手段より前記通し番号を取得し、複写要
求のときに、前記対象印刷データを検索するための複写データ検索情報とともに前記通し
番号管理手段へ前記通し番号の発行を要求することにより、前記通し番号管理手段より前
記通し番号及び前記対象印刷データを取得する通し番号取得手段と、
前記通し番号取得手段のよって取得された前記通し番号及び前記対象印刷データに基づ
いて、前記通し番号付加印刷データを生成する通し番号付加印刷データ生成手段と、
を備え、
前記対象印刷要求装置は、
前記複写データ検索情報とともに複写要求を入力する複写データ入力手段を備え、
前記通し番号取得手段及び通し番号付加印刷データ生成手段を備えているときに、印刷
要求の場合には、前記対象管理印刷装置へ前記通し番号付加印刷データとともに印刷を要
求し、複写要求の場合には、前記対象管理印刷装置へ前記通し番号付加印刷データととも
に複写を要求し、前記通し番号取得手段及び通し番号付加印刷データ生成手段を備えてい
ないときに、印刷要求の場合には、前記対象管理印刷装置へ前記対象印刷データをととも
に印刷を要求し、複写要求の場合には、前記対象管理印刷装置へ前記複写データ検索情報
とともに複写を要求し、
前記通し番号管理手段は、
前記印刷データに対応付けた前記複写データ検索情報を前記記憶部に格納することを特
徴とする請求項１に記載の印刷システム。
【請求項３】
前記管理印刷装置は、
前記対象印刷データを検索するための複写データ検索情報とともに複写要求を入力する
複写データ入力手段と、
前記印刷要求装置より前記対象印刷データとともに印刷要求を受信したときに、前記対
象印刷データとともに前記通し番号管理手段へ前記通し番号の発行を要求することにより
、前記通し番号管理手段より前記通し番号を取得し、前記印刷要求装置より前記複写デー
タ検索情報とともに複写要求を受信したときに、前記複写データ検索情報とともに前記通
し番号管理手段へ前記通し番号の発行を要求することにより、前記通し番号管理手段より
前記通し番号及び前記対象印刷データを取得し、前記複写データ入力手段により複写要求
を入力したときに、前記複写データ検索情報とともに前記通し番号管理手段へ前記通し番
号の発行を要求することにより、前記通し番号管理手段より前記通し番号及び前記対象印
刷データを取得する通し番号取得手段と、
前記通し番号取得手段のよって取得された前記通し番号及び前記対象印刷データに基づ
いて、前記通し番号付加印刷データを生成する通し番号付加印刷データ生成手段と、
を備え、
前記通し番号管理手段は、
前記印刷データに対応付けた前記複写データ検索情報を前記記憶部に格納することを特
徴とする請求項１に記載の印刷システム。
【請求項４】
前記通し番号は、前記管理印刷装置群を識別する管理範囲情報、前記管理印刷装置群に
よって印刷された印刷文書の印刷順番を示す印刷累積番号及び複写部数を少なくとも含む
情報であることを特徴とする請求項１から３のいずれか１項に記載の印刷システム。
【請求項５】
前記通し番号を、特定波長の光線を反射または吸収するインクにより印刷することを特
徴とする請求項１から４のいずれか１項に記載の印刷システム。
【請求項６】
ネットワークを介して通信可能な、印刷要求及び複写要求の少なくとも一方の要求を実
行可能な１個または複数個の印刷要求装置と、印刷要求または複写要求に基づいて印刷を
実行可能な１個または複数個の印刷装置とを有した印刷システムを利用した印刷方法であ
って、
所定の１個または複数個の前記印刷装置を管理印刷装置群とし、
前記管理印刷装置群に属する前記印刷装置を管理印刷装置とし、
全ての前記管理印刷装置によって印刷された全ての印刷文書を時系列に識別するための
情報を通し番号とし、
印刷要求または複写要求の対象となる印刷文書を対象印刷文書とし、
前記対象印刷文書を印刷するための印刷データを対象印刷データとし、
前記対象印刷文書に前記通し番号が付加された印刷文書を通し番号付加印刷文書とし、
前記通し番号付加印刷文書を印刷するための印刷データを通し番号付加印刷データとし
、
前記対象印刷文書の印刷または複写を要求する前記印刷要求装置を対象印刷要求装置と
し、
前記対象印刷要求装置からの印刷要求または複写要求によって、印刷を実行する前記管
理印刷装置を対象管理印刷装置とし、
前記通し番号を管理する機能部を通し番号管理部としたとき、
（ａ）前記対象印刷要求装置が、前記対象管理印刷装置へ、前記対象印刷データととも
に印刷要求をする工程と、
（ｂ）前記対象管理印刷装置が、前記通し番号管理部へ、前記工程（ａ）によって印刷
要求された前記対象印刷データに基づいて印刷される前記対象印刷文書の前記通し番号の
発行を要求する工程と、
（ｃ）前記通し番号管理部が、前記工程（ｂ）の要求により前記通し番号を生成し、生
成した前記通し番号と前記対象印刷データとを対応付けて所定の記憶部に格納する工程と
、
（ｄ）前記対象管理印刷装置が、前記通し番号管理部より、前記工程（ｃ）によって生
成された前記通し番号を取得する工程と、
（ｅ）前記対象管理印刷装置が、前記対象印刷データと前記工程（ｄ）によって取得さ
れた前記通し番号とに基づいて、前記通し番号付加印刷データを生成する工程と、
（ｆ）前記対象管理印刷装置が、前記工程（ｅ）によって生成された前記通し番号付加
印刷データに基づいて、前記通し番号付加印刷文書を印刷する工程と、
を備えていることを特徴とする印刷方法。
【請求項７】
前記工程（ｆ）の次に、
（ｇ）前記対象印刷要求装置が、前記対象印刷データを検索するための複写データ検索
情報とともに複写要求を入力する工程と、
（ｈ）前記対象印刷要求装置が、前記対象管理印刷装置へ、前記工程（ｇ）によって入
力された前記複写データ検索情報とともに複写要求をする工程と、
（ｉ）前記対象管理印刷装置が、前記通し番号管理部へ、前記工程（ｈ）によって複写
要求された前記複写データ検索情報とともに複写される前記対象印刷文書の前記通し番号
の発行を要求する工程と、
（ｊ）前記通し番号管理部が、前記工程（ｉ）の要求により、前記複写データ検索情報
に基づいて、前記対象印刷データ及び当該対象印刷データに対応付けられる前記通し番号
を、前記記憶部より検索する工程と、
（ｋ）前記通し番号管理部が、前記工程（ｊ）により検索した前記通し番号に基づいて
新たな前記通し番号を生成し、生成した前記通し番号と検索した前記対象印刷データとを
対応付けて所定の記憶部に格納する工程と、
（ｌ）前記対象管理印刷装置が、前記通し番号管理部より、前記工程（ｋ）によって生
成された前記通し番号及び検索された前記対象印刷データを取得する工程と、
（ｍ）前記対象管理印刷装置が、前記工程（ｌ）によって取得された前記通し番号と前
記対象印刷データとに基づいて、前記通し番号付加印刷データを生成する工程と、
（ｎ）前記対象管理印刷装置が、前記工程（ｍ）によって生成された前記通し番号付加
印刷データに基づいて、前記通し番号付加印刷文書を複写する工程と、
を、更に備えていることを特徴とする請求項６に記載の印刷方法。
【請求項８】
前記工程（ｆ）の次に、
（ｇ）前記対象管理印刷装置が、前記対象印刷データを検索するための複写データ検索
情報とともに複写要求を入力する工程と、
（ｈ）前記対象管理印刷装置が、前記通し番号管理部へ、前記工程（ｇ）によって複写
要求された前記複写データ検索情報とともに複写される前記対象印刷文書の前記通し番号
の発行を要求する工程と、
（ｉ）前記通し番号管理部が、前記工程（ｈ）の要求により、前記複写データ検索情報
に基づいて、前記対象印刷データ及び当該対象印刷データに対応付けられる前記通し番号
を、前記記憶部より検索する工程と、
（ｊ）前記通し番号管理部が、前記工程（ｉ）により検索した前記通し番号に基づいて
新たな前記通し番号を生成し、生成した前記通し番号と検索した前記対象印刷データとを
対応付けて所定の記憶部に格納する工程と、
（ｋ）前記対象管理印刷装置が、前記通し番号管理部より、前記工程（ｊ）によって生
成された前記通し番号及び検索された前記対象印刷データを取得する工程と、
（ｌ）前記対象管理印刷装置が、前記工程（ｋ）によって取得された前記通し番号と前
記対象印刷データとに基づいて、前記通し番号付加印刷データを生成する工程と、
（ｍ）前記対象管理印刷装置が、前記工程（ｌ）によって生成された前記通し番号付加
印刷データに基づいて、前記通し番号付加印刷文書を複写する工程と、
を、更に備えていることを特徴とする請求項６に記載の印刷方法。
【請求項９】
ネットワークを介して通信可能な、印刷要求及び複写要求の少なくとも一方の要求を実
行可能な１個または複数個の印刷要求装置と、印刷要求または複写要求に基づいて印刷を
実行可能な１個または複数個の印刷装置とを有した印刷システムを利用した印刷方法であ
って、
所定の１個または複数個の前記印刷装置を管理印刷装置群とし、
前記管理印刷装置群に属する前記印刷装置を管理印刷装置とし、
全ての前記管理印刷装置によって印刷された全ての印刷文書を時系列に識別するための
情報を通し番号とし、
印刷要求または複写要求の対象となる印刷文書を対象印刷文書とし、
前記対象印刷文書を印刷するための印刷データを対象印刷データとし、
前記対象印刷文書に前記通し番号が付加された印刷文書を通し番号付加印刷文書とし、
前記通し番号付加印刷文書を印刷するための印刷データを通し番号付加印刷データとし
、
前記対象印刷文書の印刷または複写を要求する前記印刷要求装置を対象印刷要求装置と
し、
前記対象印刷要求装置からの印刷要求または複写要求によって、印刷を実行する前記管
理印刷装置を対象管理印刷装置とし、
前記通し番号を管理する機能部を通し番号管理部としたとき、
（ａ）前記対象印刷要求装置が、前記通し番号管理部へ、前記対象印刷データに基づい
て印刷される前記対象印刷文書の前記通し番号の発行を要求する工程と、
（ｂ）前記通し番号管理部が、前記工程（ａ）の要求により前記通し番号を生成し、生
成した前記通し番号と前記対象印刷データとを対応付けて所定の記憶部に格納する工程と
、
（ｃ）前記対象印刷要求装置が、前記通し番号管理部より、前記工程（ｄ）によって生
成された前記通し番号を取得する工程と、
（ｄ）前記対象印刷要求装置が、前記対象印刷データと前記工程（ｃ）によって取得さ
れた前記通し番号とに基づいて、前記通し番号付加印刷データを生成する工程と、
（ｅ）前記対象印刷要求装置が、前記対象管理印刷装置へ、前記通し番号付加印刷デー
タとともに印刷要求をする工程と、
（ｆ）前記対象管理印刷装置が、前記工程（ｅ）によって印刷要求された前記通し番号
付加印刷データに基づいて、前記通し番号付加印刷文書を印刷する工程と、
を備えていることを特徴とする印刷方法。
【請求項１０】
前記工程（ｆ）の次に、
（ｇ）前記対象印刷要求装置が、前記対象印刷データを検索するための複写データ検索
情報とともに複写要求を入力する工程と、
（ｈ）前記対象印刷要求装置が、前記通し番号管理部へ、前記工程（ｇ）によって入力
された前記複写データ検索情報とともに複写される前記対象印刷文書の前記通し番号の発
行を要求する工程と、
（ｉ）前記通し番号管理部が、前記工程（ｈ）の要求により、前記複写データ検索情報
に基づいて、前記対象印刷データ及び当該対象印刷データに対応付けられる前記通し番号
を、前記記憶部より検索する工程と、
（ｊ）前記通し番号管理部が、前記工程（ｉ）により検索した前記通し番号に基づいて
新たな前記通し番号を生成し、生成した前記通し番号と検索した前記対象印刷データとを
対応付けて所定の記憶部に格納する工程と、
（ｋ）前記対象印刷要求装置が、前記通し番号管理部より、前記工程（ｊ）によって生
成された前記通し番号及び検索された前記対象印刷データを取得する工程と、
（ｌ）前記対象印刷要求装置が、前記工程（ｋ）によって取得された前記通し番号と前
記対象印刷データとに基づいて、前記通し番号付加印刷データを生成する工程と、
（ｍ）前記対象印刷要求装置が、前記対象管理印刷装置へ、前記工程（ｌ）によって入
力された前記複写データ検索情報とともに複写要求をする工程と、
（ｎ）前記対象管理印刷装置が、前記工程（ｍ）によって生成された前記通し番号付加
印刷データに基づいて、前記通し番号付加印刷文書を複写する工程と、
を、更に備えていることを特徴とする請求項９に記載の印刷方法。
【発明の詳細な説明】
【技術分野】
【０００１】
本発明は、ネットワークを介して通信可能な、印刷要求を実行可能な１個または複数個
の印刷要求装置と、印刷要求に基づいて印刷を実行可能な１個または複数個の印刷装置と
を有した印刷システム及び印刷方法に関する。特に、所定の管理範囲に属する印刷装置を
利用して印刷または複写される印刷文書に、時系列に印刷順番を識別する通し番号を付加
することによって印刷文書の内容を保証可能な印刷システム及び印刷方法に関する。
【背景技術】
【０００２】
従来、プリンタ、コピー機、ファクシミリ装置等（以下、印刷装置と呼ぶ）により、印
刷された文書（以下、印刷文書と呼ぶ）には、時系列に印刷されていることが重要な一連
の文書や、いつ印刷された内容であるかが重要な文書等が多く存在する。例えば、ユーザ
に、製品を製作して提供する場合、製品の見積り伝票、受注伝票、納品伝票、請求伝票の
順に時系列に作成されなければならない。また、これらの伝票は、各伝票が発行された後
に、印刷内容が改ざんされたりしてはならない文書である。
【０００３】
その為、印刷した日時を一緒に印刷したり、予め伝票番号、発行元等が印刷された特定
の印刷用紙に印刷したり、印刷文書を受け取ったときに日付印を押したりして、いつ作成
された印刷文書であるかを判定していた。
【０００４】
また、特許文献１では、ファクシミリ装置により原稿を送信したときに、送信要求の処
理が正常に終了したか否かを判定するために、送信要求毎に原稿に番号を印刷し、印刷さ
れた番号により、送信要求の処理が正常に終了したか否かを判定する方法が提案されてい
る。
【特許文献１】特開平５−１３６９２３号公報
【発明の開示】
【発明が解決しようとする課題】
【０００５】
しかしながら、予め伝票番号、発行元等が印刷された特定の印刷用紙を利用して印刷す
る場合、特定の印刷用紙を準備したり、特定の印刷用紙に印刷可能な印刷装置を準備した
りするのにコストがかかっていた。
【０００６】
また、印刷日時を一緒に印刷する場合、印刷装置等の日時設定を簡単に変えることがで
きるため、いつの印刷要求または複写要求により作成された印刷文書であるかを不変的に
示す情報を印刷することはできなかった。ここで、印刷要求とは、印刷文書を印刷するた
めの印刷データを作成して、作成した印刷データに基づいて印刷を要求することであり、
複写要求とは、既に印刷要求によって作成された印刷データに基づいて印刷を要求するこ
とである。
【０００７】
本発明は、以上のような問題点を解決するためになされたもので、所定の管理範囲に属
する印刷装置を利用して印刷または複写される印刷文書に、時系列に印刷順番を識別する
通し番号を付加することによって印刷文書の内容を保証可能な印刷システム及び印刷方法
を提供することを目的とする。
【課題を解決するための手段】
【０００８】
上述した従来の問題点を解決すべく下記の発明を提供する。
【０００９】
本発明の第１の態様にかかる印刷システムは、ネットワークを介して通信可能な、印刷
要求及び複写要求の少なくとも一方の要求を実行可能な１個または複数個の印刷要求装置
と、印刷要求または複写要求に基づいて印刷を実行可能な１個または複数個の印刷装置と
を有した印刷システムであって、所定の１個または複数個の前記印刷装置を管理印刷装置
群とし、前記管理印刷装置群に属する前記印刷装置を管理印刷装置とし、全ての前記管理
印刷装置によって印刷された全ての印刷文書を時系列に識別するための情報を通し番号と
し、印刷要求または複写要求の対象となる印刷文書を対象印刷文書とし、前記対象印刷文
書を印刷するための印刷データを対象印刷データとし、前記対象印刷文書に前記通し番号
が付加された印刷文書を通し番号付加印刷文書とし、前記通し番号付加印刷文書を印刷す
るための印刷データを通し番号付加印刷データとしたとき、印刷要求対象の前記対象印刷
文書に付加する前記通し番号の発行を要求されたときに、前記通し番号を生成し、前記通
し番号の発行要求元へ生成した前記通し番号を渡すとともに、生成した前記通し番号と前
記対象印刷データとを対応付けて所定の記憶部に格納して管理し、複写要求対象の前記対
象印刷文書に付加する前記通し番号の発行を要求されたときに、複写のための前記対象印
刷データ及び当該対象印刷データに対応付けられる前記通し番号を、前記記憶部より検索
し、検索した前記通し番号に基づいて新たな前記通し番号を生成し、前記通し番号の発行
要求元へ生成した前記通し番号及び検索した前記対象印刷データを渡すとともに、前記対
象印刷データとに対応付けて、生成した前記通し番号を所定の記憶部に格納して管理する
通し番号管理手段を備え、前記管理印刷装置は、前記通し番号管理手段によって生成され
た前記通し番号と前記対象印刷データとによって生成された前記通し番号付加印刷データ
に基づいて、前記通し番号付加印刷文書を印刷または複写することを特徴とする。
【００１０】
本発明の他の態様にかかる印刷システムは、前記対象印刷文書の印刷または複写を要求
する前記印刷要求装置を対象印刷要求装置とし、前記対象印刷要求装置からの印刷要求ま
たは複写要求によって、印刷を実行する前記管理印刷装置を対象管理印刷装置としたとき
、上述した本発明の態様にかかる印刷システムの前記対象印刷要求装置または前記対象管
理印刷装置のどちらか一方の装置が、印刷要求のときに、前記対象印刷データとともに前
記通し番号管理手段へ前記通し番号の発行を要求することにより、前記通し番号管理手段
より前記通し番号を取得し、複写要求のときに、前記対象印刷データを検索するための複
写データ検索情報とともに前記通し番号管理手段へ前記通し番号の発行を要求することに
より、前記通し番号管理手段より前記通し番号及び前記対象印刷データを取得する通し番
号取得手段と、前記通し番号取得手段によって取得された前記通し番号及び前記対象印刷
データに基づいて、前記通し番号付加印刷データを生成する通し番号付加印刷データ生成
手段と、を備え、前記対象印刷要求装置は、前記複写データ検索情報とともに複写要求を
入力する複写データ入力手段を備え、前記通し番号取得手段及び通し番号付加印刷データ
生成手段を備えているときに、印刷要求の場合には、前記対象管理印刷装置へ前記通し番
号付加印刷データとともに印刷を要求し、複写要求の場合には、前記対象管理印刷装置へ
前記通し番号付加印刷データとともに複写を要求し、前記通し番号取得手段及び通し番号
付加印刷データ生成手段を備えていないときに、印刷要求の場合には、前記対象管理印刷
装置へ前記対象印刷データをとともに印刷を要求し、複写要求の場合には、前記対象管理
印刷装置へ前記複写データ検索情報とともに複写を要求し、前記通し番号管理手段は、前
記印刷データに対応付けた前記複写データ検索情報を前記記憶部に格納することを特徴と
する。
【００１１】
本発明の他の態様にかかる印刷システムは、上述した本発明の態様にかかる印刷システ
ムの前記管理印刷装置が、前記対象印刷データを検索するための複写データ検索情報とと
もに複写要求を入力する複写データ入力手段と、前記印刷要求装置より前記対象印刷デー
タとともに印刷要求を受信したときに、前記対象印刷データとともに前記通し番号管理手
段へ前記通し番号の発行を要求することにより、前記通し番号管理手段より前記通し番号
を取得し、前記印刷要求装置より前記複写データ検索情報とともに複写要求を受信したと
きに、前記複写データ検索情報とともに前記通し番号管理手段へ前記通し番号の発行を要
求することにより、前記通し番号管理手段より前記通し番号及び前記対象印刷データを取
得し、前記複写データ入力手段により複写要求を入力したときに、前記複写データ検索情
報とともに前記通し番号管理手段へ前記通し番号の発行を要求することにより、前記通し
番号管理手段より前記通し番号及び前記対象印刷データを取得する通し番号取得手段と、
前記通し番号取得手段のよって取得された前記通し番号及び前記対象印刷データに基づい
て、前記通し番号付加印刷データを生成する通し番号付加印刷データ生成手段と、を備え
、前記通し番号管理手段は、前記印刷データに対応付けた前記複写データ検索情報を前記
記憶部に格納することを特徴とする。
【００１２】
本発明の他の態様にかかる印刷システムは、上述した本発明の態様にかかる印刷システ
ムの前記通し番号は、前記管理印刷装置群を識別する管理範囲情報、前記管理印刷装置群
によって印刷された印刷文書の印刷順番を示す印刷累積番号及び複写部数を少なくとも含
む情報であることを特徴とする。
【００１３】
本発明の他の態様にかかる印刷システムは、上述した本発明の態様にかかる印刷システ
ムの前記通し番号を、特定波長の光線を反射または吸収するインクにより印刷することを
特徴とする。
【００１４】
本発明の第１の態様にかかる印刷方法は、ネットワークを介して通信可能な、印刷要求
及び複写要求の少なくとも一方の要求を実行可能な１個または複数個の印刷要求装置と、
印刷要求または複写要求に基づいて印刷を実行可能な１個または複数個の印刷装置とを有
した印刷システムを利用した印刷方法であって、所定の１個または複数個の前記印刷装置
を管理印刷装置群とし、前記管理印刷装置群に属する前記印刷装置を管理印刷装置とし、
全ての前記管理印刷装置によって印刷された全ての印刷文書を時系列に識別するための情
報を通し番号とし、印刷要求または複写要求の対象となる印刷文書を対象印刷文書とし、
前記対象印刷文書を印刷するための印刷データを対象印刷データとし、前記対象印刷文書
に前記通し番号が付加された印刷文書を通し番号付加印刷文書とし、前記通し番号付加印
刷文書を印刷するための印刷データを通し番号付加印刷データとし、前記対象印刷文書の
印刷または複写を要求する前記印刷要求装置を対象印刷要求装置とし、前記対象印刷要求
装置からの印刷要求または複写要求によって、印刷を実行する前記管理印刷装置を対象管
理印刷装置とし、前記通し番号を管理する機能部を通し番号管理部としたとき、（ａ）前
記対象印刷要求装置が、前記対象管理印刷装置へ、前記対象印刷データとともに印刷要求
をする工程と、（ｂ）前記対象管理印刷装置が、前記通し番号管理部へ、前記工程（ａ）
によって印刷要求された前記対象印刷データに基づいて印刷される前記対象印刷文書の前
記通し番号の発行を要求する工程と、（ｃ）前記通し番号管理部が、前記工程（ｂ）の要
求により前記通し番号を生成し、生成した前記通し番号と前記対象印刷データとを対応付
けて所定の記憶部に格納する工程と、（ｄ）前記対象管理印刷装置が、前記通し番号管理
部より、前記工程（ｃ）によって生成された前記通し番号を取得する工程と、（ｅ）前記
対象管理印刷装置が、前記対象印刷データと前記工程（ｄ）によって取得された前記通し
番号とに基づいて、前記通し番号付加印刷データを生成する工程と、（ｆ）前記対象管理
印刷装置が、前記工程（ｅ）によって生成された前記通し番号付加印刷データに基づいて
、前記通し番号付加印刷文書を印刷する工程と、を備えていることを特徴とする。
【００１５】
本発明の他の態様にかかる印刷方法は、上述した本発明の態様にかかる印刷方法の前記
工程（ｆ）の次に、（ｇ）前記対象印刷要求装置が、前記対象印刷データを検索するため
の複写データ検索情報とともに複写要求を入力する工程と、（ｈ）前記対象印刷要求装置
が、前記対象管理印刷装置へ、前記工程（ｇ）によって入力された前記複写データ検索情
報とともに複写要求をする工程と、（ｉ）前記対象管理印刷装置が、前記通し番号管理部
へ、前記工程（ｈ）によって複写要求された前記複写データ検索情報とともに複写される
前記対象印刷文書の前記通し番号の発行を要求する工程と、（ｊ）前記通し番号管理部が
、前記工程（ｉ）の要求により、前記複写データ検索情報に基づいて、前記対象印刷デー
タ及び当該対象印刷データに対応付けられる前記通し番号を、前記記憶部より検索する工
程と、（ｋ）前記通し番号管理部が、前記工程（ｊ）により検索した前記通し番号に基づ
いて新たな前記通し番号を生成し、生成した前記通し番号と検索した前記対象印刷データ
とを対応付けて所定の記憶部に格納する工程と、（ｌ）前記対象管理印刷装置が、前記通
し番号管理部より、前記工程（ｋ）によって生成された前記通し番号及び検索された前記
対象印刷データを取得する工程と、（ｍ）前記対象管理印刷装置が、前記工程（ｌ）によ
って取得された前記通し番号と前記対象印刷データとに基づいて、前記通し番号付加印刷
データを生成する工程と、（ｎ）前記対象管理印刷装置が、前記工程（ｍ）によって生成
された前記通し番号付加印刷データに基づいて、前記通し番号付加印刷文書を複写する工
程と、を、更に備えていることを特徴とする。
【００１６】
本発明の他の態様にかかる印刷方法は、上述した本発明の態様にかかる印刷方法の前記
工程（ｆ）の次に、（ｇ）前記対象管理印刷装置が、前記対象印刷データを検索するため
の複写データ検索情報とともに複写要求を入力する工程と、（ｈ）前記対象管理印刷装置
が、前記通し番号管理部へ、前記工程（ｇ）によって複写要求された前記複写データ検索
情報とともに複写される前記対象印刷文書の前記通し番号の発行を要求する工程と、（ｉ
）前記通し番号管理部が、前記工程（ｈ）の要求により、前記複写データ検索情報に基づ
いて、前記対象印刷データ及び当該対象印刷データに対応付けられる前記通し番号を、前
記記憶部より検索する工程と、（ｊ）前記通し番号管理部が、前記工程（ｉ）により検索
した前記通し番号に基づいて新たな前記通し番号を生成し、生成した前記通し番号と検索
した前記対象印刷データとを対応付けて所定の記憶部に格納する工程と、（ｋ）前記対象
管理印刷装置が、前記通し番号管理部より、前記工程（ｊ）によって生成された前記通し
番号及び検索された前記対象印刷データを取得する工程と、（ｌ）前記対象管理印刷装置
が、前記工程（ｋ）によって取得された前記通し番号と前記対象印刷データとに基づいて
、前記通し番号付加印刷データを生成する工程と、（ｍ）前記対象管理印刷装置が、前記
工程（ｌ）によって生成された前記通し番号付加印刷データに基づいて、前記通し番号付
加印刷文書を複写する工程と、を、更に備えていることを特徴とする。
【００１７】
本発明の他の態様にかかる印刷方法は、ネットワークを介して通信可能な、印刷要求及
び複写要求の少なくとも一方の要求を実行可能な１個または複数個の印刷要求装置と、印
刷要求または複写要求に基づいて印刷を実行可能な１個または複数個の印刷装置とを有し
た印刷システムを利用した印刷方法であって、所定の１個または複数個の前記印刷装置を
管理印刷装置群とし、前記管理印刷装置群に属する前記印刷装置を管理印刷装置とし、全
ての前記管理印刷装置によって印刷された全ての印刷文書を時系列に識別するための情報
を通し番号とし、印刷要求または複写要求の対象となる印刷文書を対象印刷文書とし、前
記対象印刷文書を印刷するための印刷データを対象印刷データとし、前記対象印刷文書に
前記通し番号が付加された印刷文書を通し番号付加印刷文書とし、前記通し番号付加印刷
文書を印刷するための印刷データを通し番号付加印刷データとし、前記対象印刷文書の印
刷または複写を要求する前記印刷要求装置を対象印刷要求装置とし、前記対象印刷要求装
置からの印刷要求または複写要求によって、印刷を実行する前記管理印刷装置を対象管理
印刷装置とし、前記通し番号を管理する機能部を通し番号管理部としたとき、（ａ）前記
対象印刷要求装置が、前記通し番号管理部へ、前記対象印刷データに基づいて印刷される
前記対象印刷文書の前記通し番号の発行を要求する工程と、（ｂ）前記通し番号管理部が
、前記工程（ａ）の要求により前記通し番号を生成し、生成した前記通し番号と前記対象
印刷データとを対応付けて所定の記憶部に格納する工程と、（ｃ）前記対象印刷要求装置
が、前記通し番号管理部より、前記工程（ｄ）によって生成された前記通し番号を取得す
る工程と、（ｄ）前記対象印刷要求装置が、前記対象印刷データと前記工程（ｃ）によっ
て取得された前記通し番号とに基づいて、前記通し番号付加印刷データを生成する工程と
、（ｅ）前記対象印刷要求装置が、前記対象管理印刷装置へ、前記通し番号付加印刷デー
タとともに印刷要求をする工程と、（ｆ）前記対象管理印刷装置が、前記工程（ｅ）によ
って印刷要求された前記通し番号付加印刷データに基づいて、前記通し番号付加印刷文書
を印刷する工程と、を備えていることを特徴とする。
【００１８】
本発明の他の態様にかかる印刷方法は、上述した本発明の態様にかかる印刷方法の前記
工程（ｆ）の次に、（ｇ）前記対象印刷要求装置が、前記対象印刷データを検索するため
の複写データ検索情報とともに複写要求を入力する工程と、（ｈ）前記対象印刷要求装置
が、前記通し番号管理部へ、前記工程（ｇ）によって入力された前記複写データ検索情報
とともに複写される前記対象印刷文書の前記通し番号の発行を要求する工程と、（ｉ）前
記通し番号管理部が、前記工程（ｈ）の要求により、前記複写データ検索情報に基づいて
、前記対象印刷データ及び当該対象印刷データに対応付けられる前記通し番号を、前記記
憶部より検索する工程と、（ｊ）前記通し番号管理部が、前記工程（ｉ）により検索した
前記通し番号に基づいて新たな前記通し番号を生成し、生成した前記通し番号と検索した
前記対象印刷データとを対応付けて所定の記憶部に格納する工程と、（ｋ）前記対象印刷
要求装置が、前記通し番号管理部より、前記工程（ｊ）によって生成された前記通し番号
及び検索された前記対象印刷データを取得する工程と、（ｌ）前記対象印刷要求装置が、
前記工程（ｋ）によって取得された前記通し番号と前記対象印刷データとに基づいて、前
記通し番号付加印刷データを生成する工程と、（ｍ）前記対象印刷要求装置が、前記対象
管理印刷装置へ、前記工程（ｌ）によって入力された前記複写データ検索情報とともに複
写要求をする工程と、（ｎ）前記対象管理印刷装置が、前記工程（ｍ）によって生成され
た前記通し番号付加印刷データに基づいて、前記通し番号付加印刷文書を複写する工程と
、を、更に備えていることを特徴とする。
【００１９】
本発明の他の態様にかかる印刷方法は、ネットワークを介して通信可能な、印刷要求を
実行可能な１個または複数個の印刷要求装置と、印刷要求に基づいて印刷を実行可能な１
個または複数個の印刷装置とを有した印刷システムを利用した印刷方法であって、所定の
１個または複数個の前記印刷装置を管理印刷装置群とし、前記管理印刷装置群に属する前
記印刷装置を管理印刷装置とし、全ての前記管理印刷装置によって印刷された全ての印刷
文書を時系列に識別するための情報を通し番号とし、印刷要求の対象となる印刷文書を対
象印刷文書とし、前記対象印刷文書を印刷するための印刷データを対象印刷データとし、
前記対象印刷文書に前記通し番号が付加された印刷文書を通し番号付加印刷文書とし、前
記通し番号付加印刷文書を印刷するための印刷データを通し番号付加印刷データとし、前
記対象印刷文書の印刷を要求する前記印刷要求装置を対象印刷要求装置とし、前記対象印
刷要求装置からの印刷要求によって、印刷を実行する前記管理印刷装置を対象管理印刷装
置とし、前記通し番号を管理する機能部を通し番号管理部としたとき、（ａ）前記対象印
刷要求装置が、前記対象管理印刷装置へ、前記対象印刷データとともに印刷要求をする工
程と、（ｂ）前記対象管理印刷装置が、前記通し番号管理部へ、前記工程（ａ）によって
印刷要求された前記対象印刷データに基づいて印刷される前記対象印刷文書の前記通し番
号の発行を要求する工程と、（ｃ）前記通し番号管理部が、前記工程（ｂ）の要求により
前記通し番号を生成し、生成した前記通し番号を所定の記憶部に格納する工程と、（ｄ）
前記対象管理印刷装置が、前記通し番号管理部より、前記工程（ｃ）によって生成された
前記通し番号を取得する工程と、（ｅ）前記対象管理印刷装置が、前記対象印刷データと
前記工程（ｄ）によって取得された前記通し番号とに基づいて、前記通し番号付加印刷デ
ータを生成する工程と、（ｆ）前記対象管理印刷装置が、前記工程（ｅ）によって生成さ
れた前記通し番号付加印刷データに基づいて、前記通し番号付加印刷文書を印刷する工程
と、を備えていることを特徴とする。
【発明の効果】
【００２０】
本発明によれば、所定の管理範囲に属する印刷装置を利用して印刷または複写される印
刷文書に、時系列に印刷順番を識別する通し番号を付加することによって印刷文書の内容
を保証することができる。即ち、印刷文書の内容の改ざんを防止することが可能である。
【発明を実施するための最良の形態】
【００２１】
この発明の一実施態様を、図面を参照しながら説明する。なお、以下に説明する実施態
様は説明のためのものであり、本発明の範囲を制限するものではない。従って、当業者で
あればこれらの各要素もしくは全要素をこれと均等なもので置換した実施態様を採用する
ことが可能であるが、これらの実施態様も本発明の範囲に含まれる。
【００２２】
図１は、本発明を適用可能な印刷システムの構成図の一例である。図１に示すように、
印刷システム１０は、印刷要求及び複写要求を実行可能なＰＣ（Ｐｅｒｓｏｎａｌ  Ｃｏ
ｍｐｕｔｅｒ）１２及びＰＣ１３、印刷要求または複写要求により印刷可能なプリンタ１
４及び１５、並びに、制御装置１６により構成され、ネットワーク１１を介して互いに接
続されている。
【００２３】
ＰＣ１２からプリンタ１４への印刷要求及び複写要求、ＰＣ１３からプリンタ１５への
印刷要求及び複写要求、プリンタ１４の入力装置による複写要求、または、プリンタ１５
の入力装置による複写要求によって、印刷文書は印刷される。
【００２４】
また、プリンタ１４及び１５によって印刷される全ての印刷文書には、時系列に印刷文
書を識別するための情報として通し番号が付加されている。ここで、プリンタ１４及び１
５は、管理印刷装置であり、管理印刷装置群は、プリンタ１４及び１５により構成される
。以下、通し番号を付加しない印刷文書を通常印刷文書とし、通し番号を付加した印刷文
書を通し番号付加印刷文書とする。また、通常印刷文書を印刷するための印刷データを通
常印刷データとし、通し番号付加印刷文書を印刷するための印刷データを通し番号付加印
刷データという。
【００２５】
通し番号は、プリンタ１４及び１５が属する範囲（例えば、場所、所属グループ、ユー
ザ、プリンタＩＤ等）を識別する管理範囲情報、プリンタ１４及び１５によって印刷され
た印刷文書の印刷順番を示す印刷累積番号、及び同じ通常印刷データで印刷された複写部
数で構成されている。
【００２６】
図２は、印刷システム１０を構成する機能ブロック図を示す一例である。図２に示すよ
うに、制御装置１６は、通し番号管理部２１を備え、ＰＣ１２は、複写データ入力部２４
ａ及び命令送信部２５ａを備え、ＰＣ１３は、通し番号取得部２２ｂ、通し番号付加印刷
データ生成部２３ｂ、複写データ入力部２４ｂ及び命令送信部２５ｂを備えている。プリ
ンタ１４は、通し番号取得部２２ｃ、通し番号付加印刷データ生成部２３ｃ、複写データ
入力部２４ｃ、命令受信部２６ｃ、及び印刷制御部２７ｃを備え、プリンタ１５は、命令
受信部２６ｄ及び印刷制御部２７ｄを備えている。
【００２７】
通し番号取得部２２ｂ及び２２ｃは、印刷要求のときに、通常印刷データとともに通し
番号管理部２１へ通し番号の発行を要求することにより、通し番号管理部２１より通し番
号を取得する。また、複写要求のときに、通し番号管理部２１の通し番号記憶部２８に格
納されている通常印刷データを利用して複写するための検索キーとなる複写データ検索情
報とともに通し番号管理部２１へ通し番号の発行を要求することにより、通し番号管理部
２１より通し番号を取得する。ここで、複写データ検索情報は、通常印刷データと一意に
対応付けられた情報であれば良い。また、通し番号は通常印刷データと一意に対応付けら
れる。従って、通し番号が複写データ検索情報であっても良い。
【００２８】
通し番号管理部２１は、印刷要求の印刷文書に付加する通し番号の発行を要求されたと
きに、通し番号記憶部２８に前回記憶した通し番号に基づいて、今回の通し番号を生成す
る。通し番号の発行要求元（ここでは、ＰＣ１３の通し番号取得部２２ｂ及びプリンタ１
４の通し番号取得部２２ｃ）へ生成した通し番号を渡すとともに、生成した通し番号と対
象印刷データとを対応付けて通し番号記憶部２８に格納して管理する。
【００２９】
また、複写要求の前記対象印刷文書に付加する通し番号の発行を要求されたときに、複
写データ検索情報に基づいて、通し番号記憶部２８に格納されている通常印刷データ及び
通し番号を検索し、検索した通し番号に基づいて、今回の通し番号を生成する。通し番号
の発行要求元へ生成した通し番号及び検索した通常印刷データを渡すとともに、検索した
通常印刷データとに対応付けて、今回生成した通し番号を通し番号記憶部２８に格納して
管理する。
【００３０】
通し番号付加印刷データ生成部２３ｂ及び２３ｃは、印刷要求のときは、印刷要求され
た通常印刷データと通し番号取得部２２ｂ及び２２ｃによって取得した通し番号とに基づ
いて、通し番号付加印刷データを生成する。また、複写要求のときは、通し番号取得部２
２ｂ及び２２ｃによって取得した通し番号と通常印刷データとに基づいて、通し番号付加
印刷データを生成する。
【００３１】
複写データ入力部２４ａ、２４ｂ及び２４ｃは、複写データ検索情報を入力し、入力さ
れた複写データ検索情報に基づいた通し番号付加印刷文書の複写を要求する。
【００３２】
命令送信部２５ａは、印刷要求のとき、通常印刷データとともにプリンタ１４へ印刷命
令を送信し、複写要求のとき、複写データ検索情報とともにプリンタ１４へ複写命令を送
信する。命令送信部２５ｂは、印刷要求のとき、通し番号付加印刷データとともにプリン
タ１５へ印刷命令を送信し、複写要求のとき、通し番号付加印刷データとともにプリンタ
１５へ複写命令を送信する。
【００３３】
命令受信部２６ｃは、印刷要求のとき、通常印刷データとともにＰＣ１２から印刷命令
を受信し、複写要求のとき、複写データ検索情報とともにＰＣ１２から複写命令を受信す
る。命令受信部２６ｄは、印刷要求のとき、通し番号付加印刷データとともにＰＣ１３か
ら印刷命令を受信し、複写要求のとき、通し番号付加印刷データとともにＰＣ１２から複
写命令を受信する。
【００３４】
印刷制御部２７ｃ及び２７ｄは、印刷要求または複写要求のときに、通し番号付加印刷
データに基づいて、通し番号付加印刷文書を印刷する。
【００３５】
次に、印刷システム１０における、印刷要求または複写要求されたときの印刷処理また
は複写処理手順を図３から図７を参照して説明する。
【００３６】
図３は、ＰＣ１２からプリンタ１４への印刷要求による印刷処理手順を示すフローチャ
ートの一例である。
【００３７】
まず、ＰＣ１２は、通常印刷データとともにプリンタ１４へ印刷要求を送信する（Ｓ１
０１）。次に、プリンタ１４は、ＰＣ１２からの印刷要求を通常印刷データとともに受信
し（Ｓ１１１）、受信した通常印刷データに対応付けられる通し番号の発行要求を、通常
印刷データとともに、制御装置１６へ送信する（Ｓ１１２）。
【００３８】
次に、制御装置１６は、通常印刷データとともに通し番号の発行要求を受信し（Ｓ１２
１）、前回生成した通し番号を通し番号記憶部２８から取り出し、取り出した通し番号に
基づいて、今回の通し番号を生成する（Ｓ１２２）。
【００３９】
ここで、印刷累積番号は、取り出した前回の印刷累積番号に１だけ加えた値であり、複
写部数は、通常印刷データに含まれる印刷部数である。また、管理範囲情報は、予め印刷
システム１０に設定しておいた情報である。尚、管理範囲情報は、予め印刷システム１０
に設定しておかず、通常印刷データとともにプリンタ１４から受信しても良い。
【００４０】
次に、生成した通し番号を、プリンタ１４へ発行し（Ｓ１２３）、生成した通し番号と
通常印刷データとを対応付けて、通し番号記憶部２８に格納する（Ｓ１２４）。このとき
、通常印刷データと対応付けて複写データ検索情報も格納する。
【００４１】
次に、プリンタ１４は、制御装置１６から通し番号を受信して取り出し（Ｓ１１３）、
取り出した通し番号とステップＳ１１１に受信した通常印刷データとに基づいて、通し番
号付加印刷データを生成する（Ｓ１１４）。最後に、生成した通し番号付加印刷データに
基づいて通し番号付加印刷文書を印刷し（Ｓ１１５）、印刷処理を終了する。
【００４２】
図４は、ＰＣ１２からプリンタ１４への複写要求による複写処理手順を示すフローチャ
ートの一例である。
【００４３】
まず、ＰＣ１２は、複写処理する印刷文書の複写データ検索情報を入力し（Ｓ２０１）
、入力した複写データ検索情報とともにプリンタ１４へ複写要求を送信する（Ｓ２０２）
。次に、プリンタ１４は、ＰＣ１２からの複写要求を複写データ検索情報とともに受信し
（Ｓ２１１）、受信した複写データ検索情報に対応付けられる通常印刷データ及び複写処
理のための通し番号の発行要求を、複写データ検索情報とともに、制御装置１６へ送信す
る（Ｓ２１２）。
【００４４】
次に、制御装置１６は、複写データ検索情報とともに通し番号の発行要求を受信し（Ｓ
２２１）、複写データ検索情報に基づいて、前回格納した通常印刷データと通常印刷デー
タに対応付けられた通し番号とを、通し番号記憶部２８から検索し、検索した通し番号に
基づいて、今回の通し番号を生成する（Ｓ２２２）。
【００４５】
ここで、印刷累積番号は、取り出した前回の印刷累積番号と同じ値であり、複写部数は
、検索した前回の印刷部数に複写データ検索情報に含まれている複写部数を加えた値であ
る。また、管理範囲情報は、予め印刷システム１０に設定しておいた情報である。尚、管
理範囲情報は、予め印刷システム１０に設定しておかず、複写データ検索情報とともにプ
リンタ１４から受信しても良い。
【００４６】
次に、生成した通し番号及び検索した通常印刷データを、プリンタ１４へ発行し（Ｓ２
２３）、生成した通し番号を検索した通常印刷データに対応付けて、通し番号記憶部２８
に格納する（Ｓ２２４）。
【００４７】
次に、プリンタ１４は、制御装置１６から通し番号及び通常印刷データを受信して取り
出し（Ｓ２１３）、取り出した通し番号と通常印刷データとに基づいて、通し番号付加印
刷データを生成する（Ｓ２１４）。最後に、生成した通し番号付加印刷データに基づいて
通し番号付加印刷文書を印刷し（Ｓ２１５）、複写処理を終了する。
【００４８】
図５は、プリンタ１４への複写要求の入力による複写処理手順を示すフローチャートの
一例である。
【００４９】
まず、プリンタ１４は、複写処理する印刷文書の複写データ検索情報を入力し（Ｓ３２
１）、入力した複写データ検索情報に対応付けられる通常印刷データ及び複写処理のため
の通し番号の発行要求を、複写データ検索情報とともに、制御装置１６へ送信する（Ｓ３
１２）。
【００５０】
次に、制御装置１６は、複写データ検索情報とともに通し番号の発行要求を受信し（Ｓ
３２１）、複写データ検索情報に基づいて、前回格納した通常印刷データと通常印刷デー
タに対応付けられた通し番号とを、通し番号記憶部２８から検索し、検索した通し番号に
基づいて、今回の通し番号を生成する（Ｓ３２２）。
【００５１】
次に、生成した通し番号及び検索した通常印刷データを、プリンタ１４へ発行し（Ｓ３
２３）、生成した通し番号を検索した通常印刷データに対応付けて、通し番号記憶部２８
に格納する（Ｓ３２４）。
【００５２】
次に、プリンタ１４は、制御装置１６から通し番号及び通常印刷データを受信して取り
出し（Ｓ３１３）、取り出した通し番号と通常印刷データとに基づいて、通し番号付加印
刷データを生成する（Ｓ３１４）。最後に、生成した通し番号付加印刷データに基づいて
通し番号付加印刷文書を印刷し（Ｓ３１５）、複写処理を終了する。
【００５３】
図６は、ＰＣ１３からプリンタ１５への印刷要求による印刷処理手順を示すフローチャ
ートの一例である。
【００５４】
まず、ＰＣ１３は、通常印刷データに対応付けられる通し番号の発行要求を、通常印刷
データとともに、制御装置１６へ送信する（Ｓ４０１）。
【００５５】
次に、制御装置１６は、通常印刷データとともに通し番号の発行要求を受信し（Ｓ４２
１）、前回生成した通し番号を通し番号記憶部２８から取り出し、取り出した通し番号に
基づいて、今回の通し番号を生成する（Ｓ４２２）。
【００５６】
次に、生成した通し番号を、ＰＣ１３へ発行し（Ｓ４２３）、生成した通し番号と通常
印刷データとを対応付けて、通し番号記憶部２８に格納する（Ｓ４２４）。このとき、通
常印刷データと対応付けて複写データ検索情報も格納する。
【００５７】
次に、ＰＣ１３は、制御装置１６から通し番号を受信して取り出し（Ｓ４０２）、取り
出した通し番号と通常印刷データとに基づいて、通し番号付加印刷データを生成し（Ｓ４
０３）、生成した通し番号付加印刷データとともにプリンタ１５へ印刷要求を送信する（
Ｓ４０４）。
【００５８】
次に、プリンタ１５は、ＰＣ１３からの印刷要求を通し番号付加印刷データとともに受
信する（Ｓ４１１）。最後に、受信した通し番号付加印刷データに基づいて通し番号付加
印刷文書を印刷し（Ｓ４１２）、印刷処理を終了する。
【００５９】
図７は、ＰＣ１３からプリンタ１５への複写要求による複写処理手順を示すフローチャ
ートの一例である。
【００６０】
まず、ＰＣ１３は、複写処理する印刷文書の複写データ検索情報を入力し（Ｓ５０１）
、複写データ検索情報に対応付けられる通常印刷データ及び複写処理のための通し番号の
発行要求を、複写データ検索情報とともに、制御装置１６へ送信する（Ｓ５０２）。
【００６１】
次に、制御装置１６は、複写データ検索情報とともに通し番号の発行要求を受信し（Ｓ
５２１）、複写データ検索情報に基づいて、前回格納した通常印刷データと通常印刷デー
タに対応付けられた通し番号とを、通し番号記憶部２８から検索し、検索した通し番号に
基づいて、今回の通し番号を生成する（Ｓ５２２）。
【００６２】
次に、生成した通し番号及び検索した通常印刷データを、ＰＣ１３へ発行し（Ｓ５２３
）、生成した通し番号を検索した通常印刷データに対応付けて、通し番号記憶部２８に格
納する（Ｓ５２４）。
【００６３】
次に、ＰＣ１３は、制御装置１６から通し番号及び通常印刷データを受信して取り出し
（Ｓ５０３）、取り出した通し番号と通常印刷データとに基づいて、通し番号付加印刷デ
ータを生成し（Ｓ５０４）、生成した通し番号付加印刷データとともにプリンタ１５へ複
写要求を送信する（Ｓ５０５）。
【００６４】
次に、プリンタ１５は、ＰＣ１３からの複写要求を通し番号付加印刷データとともに受
信する（Ｓ５１１）。最後に、受信した通し番号付加印刷データに基づいて通し番号付加
印刷文書を印刷し（Ｓ５１２）、複写処理を終了する。
【００６５】
上述したように、印刷システム１０の制御装置１６に通し番号管理部２１を備え、ＰＣ
１２に複写データ入力部２４ａ及び命令送信部２５ａを備え、ＰＣ１３に通し番号取得部
２２ｂ、通し番号付加印刷データ生成部２３ｂ、複写データ入力部２４ｂ及び命令送信部
２５ｂを備え、プリンタ１４に通し番号取得部２２ｃ、通し番号付加印刷データ生成部２
３ｃ、複写データ入力部２４ｃ、命令受信部２６ｃ、及び印刷制御部２７ｃを備え、プリ
ンタ１５に命令受信部２６ｄ及び印刷制御部２７ｄを備えることによって、プリンタ１４
及びプリンタ１５を利用して印刷または複写される印刷文書に、時系列に印刷順番を識別
する通し番号が付加される。これにより、印刷文書の内容を保障することができる。即ち
、印刷文書の内容の改ざんを防止することができる。
【００６６】
また、通し番号を特定の波長の光線のみ反射または吸収する特殊インク（ステルスイン
ク）により印刷することにより、は通常印刷文書と見た目上同じ通し番号付加印刷文書を
作成することができる。また、複写データ検索情報の入力を、バーコード、２次元コード
等のシンボルコードを利用して簡単に入力させることも可能である。
【００６７】
また、特殊インクまたはトナーは、赤外線吸収性インクまたは赤外線吸収性トナーであ
ってもよい。この場合、一般的に用いられている赤外線吸収特性を持つ色素や顔料、例え
ばフタロシアニン系色素やカーボンブラック系顔料などによって、赤外線吸収特性を含む
インクまたはトナーにそれぞれ適用することができる。
【００６８】
また、上述の印刷システム１０は、印刷要求及び複写要求ができる場合を記述したが、
印刷要求のみを対象としたシステムである場合には、通し番号のみを通し番号記憶部２８
に格納しても良い。
【００６９】
図８は、本発明を適用可能な別の印刷システムの構成図の一例である。図８に示すよう
に、印刷システム３０は、印刷要求及び複写要求を実行可能なＰＣ３２及び印刷要求また
は複写要求により印刷可能なプリンタ３４により構成され、通信回線３１を介して互いに
接続されている。ＰＣ３２からプリンタ３４への印刷要求及び複写要求、または、プリン
タ３４の入力装置による複写要求によって、印刷文書は印刷される。ここで、プリンタ３
４は、管理印刷装置であり、管理印刷装置群は、プリンタ３４だけで構成される。
【００７０】
図９は、印刷システム３０を構成する機能ブロック図を示す一例である。図９に示すよ
うに、ＰＣ３２は、複写データ入力部４４ａ及び命令送信部４５を備え、プリンタ３４は
、通し番号管理部４１、通し番号取得部４２、通し番号付加印刷データ生成部４３、複写
データ入力部４４ｂ、命令受信部４６、及び印刷制御部４７を備えている。ＰＣ３２の複
写データ入力部４４ａ及び命令送信部４５は、図２に示したＰＣ１２の複写データ入力部
２４ａ及び命令送信部２５ａと同様の機能であり、プリンタ３４の通し番号取得部４２、
通し番号付加印刷データ生成部４３、複写データ入力部４４ｂ、命令受信部４６、及び印
刷制御部４７は、図２に示したプリンタ１４の通し番号取得部２２ｃ、通し番号付加印刷
データ生成部２３ｃ、複写データ入力部２４ｃ、命令受信部２６ｃ、及び印刷制御部２７
ｃと同様の機能であり、プリンタ３４の通し番号管理部４１は、図２に示した制御装置１
６の通し番号管理部２１と同様な機能である。また、通し番号管理部４１の通し番号記憶
部４８は、図２に示した制御装置１６の通し番号管理部２１の通し番号記憶部２８と同様
な構成である。従って、ここでは説明を省略する。
【００７１】
ＰＣ３２からプリンタ３４への印刷要求による印刷処理手順は、図３におけるプリンタ
１４の処理及び制御装置１６の処理をプリンタ３４にて実行し、ＰＣ１２の処理をＰＣ３
２で実行する。
【００７２】
ＰＣ３２からプリンタ３４への複写要求による複写処理手順は、図４におけるプリンタ
１４の処理及び制御装置１６の処理をプリンタ３４にて実行し、ＰＣ１２の処理をＰＣ３
２で実行する。
【００７３】
プリンタ３４への複写要求の入力による複写処理手順は、図５におけるプリンタ１４の
処理及び制御装置１６の処理をプリンタ３４にて実行する。
【００７４】
上述したように、印刷システム３０のＰＣ３２に複写データ入力部４４ａ及び命令送信
部４５を備え、プリンタ３４に通し番号管理部４１、通し番号取得部４２、通し番号付加
印刷データ生成部４３、複写データ入力部４４ｂ、命令受信部４６、及び印刷制御部４７
を備えことによって、プリンタ３４を利用して印刷または複写される印刷文書に、時系列
に印刷順番を識別する通し番号が付加される。これにより、印刷文書の内容を保障するこ
とができる。即ち、印刷文書の内容の改ざんを防止することができる。
【００７５】
図１０は、印刷システム３０を構成する別の機能ブロック図を示す一例である。図１０
に示すように、ＰＣ３２は、通し番号管理部５１、通し番号取得部５２、通し番号付加印
刷データ生成部５３、複写データ入力部５４及び命令送信部５５を備え、プリンタ３４は
、命令受信部５６及び印刷制御部５７を備えている。ＰＣ３２の通し番号取得部５２、通
し番号付加印刷データ生成部５３、複写データ入力部５４及び命令送信部５５は、図２に
示したＰＣ１３の通し番号取得部２２ｂ、通し番号付加印刷データ生成部２３ｂ、複写デ
ータ入力部２４ｂ及び命令送信部２５ｂと同様の機能であり、通し番号管理部５１は、図
２に示した制御装置１６の通し番号管理部２１と同様な機能であり、プリンタ３４の命令
受信部５６及び印刷制御部５７は、図２に示したプリンタ１５の命令受信部２６ｄ及び印
刷制御部２７ｄと同様の機能である。また、通し番号管理部５１の通し番号記憶部５８は
、図２に示した制御装置１６の通し番号管理部２１の通し番号記憶部２８と同様な構成で
ある。従って、ここでは説明を省略する。
【００７６】
ＰＣ３２からプリンタ３４への印刷要求による印刷処理手順は、図６におけるＰＣ１３
の処理及び制御装置１６の処理をＰＣ３２にて実行し、プリンタ１５の処理をプリンタ３
４で実行する。
【００７７】
ＰＣ３２からプリンタ３４への複写要求による複写処理手順、図７におけるＰＣ１３の
処理及び制御装置１６の処理をＰＣ３２にて実行し、プリンタ１５の処理をプリンタ３４
で実行する。
【００７８】
上述したように、印刷システム３０のＰＣ３２に通し番号管理部５１、通し番号取得部
５２、通し番号付加印刷データ生成部５３、複写データ入力部５４及び命令送信部５５を
備え、プリンタ３４に命令受信部５６及び印刷制御部５７を備えことによって、プリンタ
３４を利用して印刷または複写される印刷文書に、時系列に印刷順番を識別する通し番号
が付加される。これにより、印刷文書の内容を保障することができる。即ち、印刷文書の
内容の改ざんを防止することができる。
【図面の簡単な説明】
【００７９】
【図１】本発明を適用可能な印刷システムの構成図の一例である。
【図２】印刷システム１０を構成する機能ブロック図を示す一例である。
【図３】ＰＣ１２からプリンタ１４への印刷要求による印刷処理手順を示すフローチャートの一例である。
【図４】ＰＣ１２からプリンタ１４への複写要求による複写処理手順を示すフローチャートの一例である。
【図５】プリンタ１４への複写要求の入力による複写処理手順を示すフローチャートの一例である。
【図６】ＰＣ１３からプリンタ１５への印刷要求による印刷処理手順を示すフローチャートの一例である。
【図７】ＰＣ１３からプリンタ１５への複写要求による複写処理手順を示すフローチャートの一例である。
【図８】本発明を適用可能な別の印刷システムの構成図の一例である。
【図９】印刷システム３０を構成する機能ブロック図を示す一例である。
【図１０】印刷システム３０を構成する別の機能ブロック図を示す一例である。
【符号の説明】
【００８０】
１０、３０    印刷システム
１１    ネットワーク
１２、１３、３２    ＰＣ
１４、１５、３４    プリンタ
１６    制御装置
３１    通信回線
【図１】
2007317051.tif 000003
【図２】
2007317051.tif 000004
【図３】
2007317051.tif 000005
【図４】
2007317051.tif 000006
【図５】
2007317051.tif 000007
【図６】
2007317051.tif 000008
【図７】
2007317051.tif 000009
【図８】
2007317051.tif 000010
【図９】
2007317051.tif 000011
【図１０】
2007317051.tif 000012